(57)【要約】【課題】ドレイン本体が所定の向きに対してずれた姿勢でバルコニー等のスラブに据え付けられた場合であっても、その向きのずれに関わりなくストレーナを所定の向きに設置して良好な外観を保つことができる排水用ドレインを提供することにある。【解決手段】スラブ１に据え付けられる筒状のドレイン本体１１と、このドレイン本体１１の上面を覆うようにドレイン本体１１に取り付けられる角型のストレーナ１２とを備える排水用ドレイン１０において、ストレーナ１２の中心部に挿入孔２０を形成し、ドレイン本体１１内に螺合部を設け、挿入孔２０から前記螺合部に固定ねじ２１を螺挿し、この固定ねじ２１の締め付けによりストレーナ１２の固定を可能にし、固定ねじ２１の緩めによりストレーナ１２の固定ねじ２１を中心とする回転を可能にし、その回転でストレーナ１２の向きを整える。【選択図】          図１
2004183315.tif 000002
【特許請求の範囲】
【請求項１】
スラブに据え付けられる筒状のドレイン本体と、このドレイン本体の上面を覆うようにドレイン本体に取り付けられる角型のストレーナとを備える排水用ドレインにおいて、
前記ストレーナの中心部には挿入孔が形成され、前記ドレイン本体内には螺合部が設けられ、前記挿入孔から前記螺合部に固定ねじが螺挿され、この固定ねじの締め付けにより前記ストレーナの固定が可能で、前記固定ねじの緩めにより前記ストレーナの前記固定ねじを中心とする回転が可能となっていることを特徴とする排水用ドレイン。
【発明の詳細な説明】
【０００１】
【発明の属する技術分野】
この発明は、例えばマンションのバルコニーのスラブに設けて雨水等の排水に用いる排水用ドレインに関する。
【０００２】
【従来の技術】
この種の排水用ドレインは、雨水等を通水させる筒状のドレイン本体と、このドレイン本体の上面を覆うストレーナとを備え、ドレイン本体が例えばマンションのバルコニーのスラブに据え付けられ、このドレイン本体の上面にストレーナがねじ止めされる。
【０００３】
【発明が解決しようとする課題】
ドレイン本体の上面に設置されるストレーナとしては、平面形状が丸型や角型のものがある。丸型のストレーナにあっては、その平面形状での方向性がないから特に問題はないが、角型のストレーナにあっては前後左右についての方向性があり、このためその据え付け時の姿勢が問題となる。
【０００４】
すなわち、排水用ドレインは、一般にバルコニー等の床面に形成される一方向に長い排水溝の端部に据え付けられ、したがってストレーナが角型の場合、そのストレーナの向きと排水溝の向きとが一致するように設置することが良好な外観を保つ上で重要であり、その向きがずれてしまうと外観的に不体裁となり、見栄えが低下してしまう。
【０００５】
従来のストレーナは、ドレイン本体の上面の予め規定された一定位置にねじで固定される構造となっており、したがってドレイン本体をバルコニー等のスラブに据え付ける施工時に、そのドレイン本体の向きが排水溝の向きに対して少しでもずれてしまうと、その施工後にドレイン本体の上面にストレーナをねじで固定するときに、そのストレーナも排水溝の向きと一致しなくなり、この結果、ドレイン本体の向きを手直しする再施工が必要となってしまうという問題がある。
【０００６】
この発明はこのような点に着目してなされたもので、その目的とするところは、ドレイン本体が所定の向きに対してずれた姿勢でバルコニー等のスラブに据え付けられた場合であっても、その向きのずれに関わりなくストレーナを所定の向きに設置して良好な外観を保つことができる排水用ドレインを提供することにある。
【０００７】
【課題を解決するための手段】
この発明はこのような目的を達成するために、スラブに据え付けられる筒状のドレイン本体と、このドレイン本体の上面を覆うようにドレイン本体に取り付けられる角型のストレーナとを備える排水用ドレインにおいて、前記ストレーナの中心部に挿入孔を形成し、前記ドレイン本体内に螺合部を設け、前記挿入孔から前記螺合部に固定ねじを螺挿し、この固定ねじの締め付けにより前記ストレーナの固定を可能にし、前記固定ねじの緩めにより前記ストレーナの前記固定ねじを中心とする回転を可能にし、その回転でストレーナの向きを整えることができるようにしたものである。
【０００８】
【発明の実施の形態】
以下、この発明の一実施形態について図面を参照して説明する。
図１は排水用ドレインの平面図、図２に排水用ドレインの縦断面図、図３は排水用ドレインの横断面図である。
【０００９】
図に示す符号１は、例えばマンションのバルコニーを構成するコンクリートスラブで、このスラブ１の表面（バルコニーの床面）に一方向に延びる一定の幅の排水溝２が形成され、この排水溝２に通じるようにスラブ１に排水用ドレイン１０が据え付けられている。
【００１０】
排水用ドレイン１０は、筒状のドレイン本体１１とストレーナ１２とを備え、ドレイン本体１１がスラブ１内に埋め込まれて固定される。このドレイン本体１１はコンクリート打設同時施工によりスラブ１に据え付けられる。すなわち、スラブ１の施工の際に予めドレイン本体１１をバルコニー成形用の型枠（図示せず）の上に筒状のスペーサ３を介して水平に支持し、この状態で型枠の上にコンクリートを打設してドレイン本体１１をスラブ１に固定する方法で据え付けられる。
【００１１】
ドレイン本体１１の外周にはスペーサ３により環状の空間４が確保され、この空間４内にバルコニーの下方側から縦樋管５が挿入される。そして雨水等の水がバルコニーの排水溝２からドレイン本体１１内に流れ込み、この水が縦樋管５を通してその下方に排出される。
【００１２】
ドレイン本体１１の内側上部にはストレーナ固定バー１５が架設されている。この固定バー１５は、ドレイン本体１１の中心部を通るように水平に架設され、その両端部がねじ１６を介してドレイン本体１１に締結されている。そしてこの固定バー１５の中間部がねじ孔１７を有する螺合部１８となっている。
【００１３】
ドレイン本体１１の上面は前記ストレーナ１２により覆われている。このストレーナ１２は、一方向に長い角型のすのこ状をなし、その中心部に挿入孔２０が形成されている。
【００１４】
前記挿入孔２０はストレーナ１２の長手方向と直角の方向に延びる長孔状をなし、この挿入孔２０から前記ストレーナ固定バー１５の螺合部１８のねじ孔１７に渡って固定ねじ２１が螺挿されている。そして、この固定ねじ２１の締め付けによりストレーナ１２が下方に押圧され、この押圧力でストレーナ１２の周縁が排水溝２の底面に圧接して排水溝２の長手方向と一致するように固定されている。
【００１５】
このような排水用ドレインによれば、スラブ１に据え付けられているドレイン本体１１の向きに関わらず、ストレーナ１２の向きを自由に変えることができる。
【００１６】
すなわち、固定ねじ１２を緩めると、ストレーナ１２を固定ねじ２１を中心として水平面内で回転させることができ、その回転でストレーナ１２の向きを変えることができる。そして、その向きを変えた状態で固定ねじ１２を締め付けてストレーナ１２を固定することができる。
【００１７】
したがって、ドレイン本体１１をスラブ１に据え付ける施工時に、そのドレイン本体１１の向きが排水溝２の長手方向に対してずれるような状態で据え付けられた場合においても、そのドレイン本体１１に対してストレーナ１２を固定ねじ２１で取り付ける際に、ストレーナ１２を固定ねじ１２を中心に回転させてストレーナ１２の長手方向と排水溝２の長手方向とが一致するように調整することにより、ドレイン本体１１の向きに左右されることなく、ストレーナ１２を所定の向きに整えて設置することができる。
【００１８】
このため、ドレイン本体１１の向きを手直しするような面倒で手間のかかる再施工が不要で、施工能率が大幅に向上する。
【００１９】
また、ストレーナ１２に形成された挿入孔２０は、ストレーナ１２の長手方向に対して直角の方向に延びる長孔状をなしており、このため固定ねじ２１を緩めてストレーナ１２を排水溝２の幅方向に平行移動させてそのストレーナ１２を排水溝２の長手方向中心部に体裁よく配置させて固定することができる。
【００２０】
【発明の効果】
以上説明したようにこの発明の排水用ドレインによれば、ドレイン本体が所定の向きに対してずれた姿勢でバルコニー等のスラブに据え付けられた場合であっても、その向きのずれに関わりなくストレーナを所定の向きに設置して良好な外観を保つことができる。
【図面の簡単な説明】
【図１】この発明の一実施形態に係る排水用ドレインを示す平面図。
【図２】この発明の一実施形態に係る排水用ドレインを示す縦断面図。
【図３】この発明の一実施形態に係る排水用ドレインを示す横断面図。
【符号の説明】
１…スラブ
２…排水溝
１０…排水用ドレイン
１１…ドレイン本体
１２…ストレーナ
１５…ストレーナ固定バー
１７…ねじ孔
１８…螺合部
２０…挿入孔
２１…固定ねじ
【図１】
2004183315.tif 000003
【図２】
2004183315.tif 000004
【図３】
2004183315.tif 000005